(57)【要約】【課題】  運搬または保管する際には、平らな形状に折り畳むことができ、しかも、組み立ての際には、簡単な作業で迅速に組み立て可能な簡易組み立て棚を提供する。【解決手段】  簡易組み立て棚１は、背面部材２と、この背面部材２の左右両端に連結される側面部材３と、背面部材２の前面から前傾して左右の側面部材３の対向面間に係止される棚部材７と、を有する。棚部材７は、物品３４を載せる上側底面１９と、上側底面１９の左右両端に連結され、側面部材３が使用形状に折り曲げられて棚部材７が前傾するとき、側面部材３の動きに合わせて側面部材３の内側面１０を滑りながら上側底面１９に対して起立する側部立上片２４と、を有する。側面部材３の内側面１０は、側部立上片２４の後縁部３６に係合して側部立上片２４を正規の向きに折り曲げる第２切込線３３を有する。【選択図】  図１
2014140411.tif 000002
【特許請求の範囲】
【請求項１】
背面部材と、
前記背面部材の左右両端に折曲線を介して連結され、前記背面部材に沿って開いた展開形状から、互いに対向する使用形状に折り曲げ可能な側面部材と、
前記背面部材の前面に折曲線を介して前傾可能に設けられ、前記側面部材が展開形状にあるとき、前記背面部材の前面に沿って折り畳み可能である一方、前記側面部材が使用形状に折り曲げられるとき、前記背面部材の前面から前傾して左右の前記側面部材の対向面間に係止される棚部材と、を有し、
前記棚部材は、
物品を載せる底面と、
前記底面の左右両端に折曲線を介して連結され、前記側面部材が使用形状に折り曲げられて前記棚部材が前傾するとき、前記側面部材の動きに合わせて前記側面部材の内側面を滑りながら前記底面に対して起立する側部立上片と、を有し、
前記内側面は、前記側部立上片の縁部に係合して前記側部立上片を正規の向きに折り曲げる係合部を有する、
ことを特徴とする簡易組み立て棚。
【請求項２】
前記係合部は、前記内側面に設けられる切込線であることを特徴とする請求項1記載の簡易組み立て棚。
【請求項３】
前記切込線は、前記棚部材が前記背面部材の前面に沿って折り畳まれた状態において、前記縁部に沿う形状に形成されることを特徴とする請求項２に記載の簡易組み立て棚。
【請求項４】
前記縁部は、前記棚部材の後端側に行くに従って前記底面側に傾斜する形状に形成されることを特徴とする請求項１〜３のいずれかに記載の簡易組み立て棚。
【請求項５】
前記縁部および前記切込線は、それぞれ、曲線、直線またはこれらの組み合わせにより、形成されることを特徴とする請求項２〜４のいずれかに記載の簡易組み立て棚。
【発明の詳細な説明】
【技術分野】
【０００１】
本発明は、商店等に商品を陳列する際、運搬や保管にも便利な構造の棚を現場で簡単に組み立てることができる簡易組み立て棚に関する。
【背景技術】
【０００２】
従来、商店等に商品を陳列する際、商店に備え付けた棚に商品を陳列する他、比較的軽量な商品を段ボール等で構成した小型の棚に陳列する場合がある。そのような段ボール製の棚は、平らに展開した形状で現場に搬送し、それを現場で組み立てることにより、商品を陳列できるため、利便性が高い。
【０００３】
ここで、従来の技術として、特許文献１に記載される「吊下展示用紙容器」を参照する。この紙容器は、板紙素材を打ち抜いて製作されたブランク板を折り曲げて組み立てる棚構造である。この棚構造では、前面板に一体的に形成された背面板を折曲線で折り曲げて前面板の背後に回し、背面板に設けられた係止片を棚部の切込に差し込む等の作業を経ることによって、上下方向に複数の棚を形成する。
【先行技術文献】
【特許文献】
【０００４】
【特許文献１】特許第４４４７０８８号公報
【発明の概要】
【発明が解決しようとする課題】
【０００５】
しかしながら、特許文献１に記載される従来の棚構造において、展開形状の紙容器を現場で組み立てるには、ある程度の熟練と手間を必要とする。このため、組み立て作業に不慣れな者が、現場で容易且つ迅速に組み立てることは困難である。
【０００６】
したがって、特に熟練を有しない者でも、簡単な作業で迅速に組み立てることができる簡易な組み立て構造が望まれている。また、搬送時や保管時のスペースを考慮し、平らな形状に折り畳むことができる棚構造も望まれている。
【０００７】
本発明は、上記の事情に鑑みてなされたものであり、運搬または保管する際には、平らな形状に折り畳むことができ、しかも、組み立ての際には、簡単な作業で迅速に組み立て可能な簡易組み立て棚を提供することを目的とする。
【課題を解決するための手段】
【０００８】
このような目的を達成するため、本発明は、以下の構成によって把握される。
（１）本発明の簡易組み立て棚は、背面部材と、前記背面部材の左右両端に折曲線を介して連結され、前記背面部材に沿って開いた展開形状から、互いに対向する使用形状に折り曲げ可能な側面部材と、前記背面部材の前面に折曲線を介して前傾可能に設けられ、前記側面部材が展開形状にあるとき、前記背面部材の前面に沿って折り畳み可能である一方、前記側面部材が使用形状に折り曲げられるとき、前記背面部材の前面から前傾して左右の前記側面部材の対向面間に係止される棚部材と、を有し、前記棚部材は、物品を載せる底面と、前記底面の左右両端に折曲線を介して連結され、前記側面部材が使用形状に折り曲げられて前記棚部材が前傾するとき、前記側面部材の動きに合わせて前記側面部材の内側面を滑りながら前記底面に対して起立する側部立上片と、を有し、前記内側面は、前記側部立上片の縁部に係合して前記側部立上片を正規の向きに折り曲げる係合部を有する、ことを特徴とする。
【０００９】
この構成によれば、運搬時や保管時には、左右の側面部材を展開形状に開いて、背面部材の前面に沿って棚部材を折り畳むことにより、簡易組み立て棚の全体を平らな形状に折り畳むことができる。これにより、運搬や保管の際に簡易組み立て棚がかさばらず、狭いスペースに簡易組み立て棚を収めることができる。一方、組み立てる際には、左右の側面部材を展開形状から使用形状に折り曲げ、棚部材を前傾して左右の側面部材の対向面間に係止させるだけで、簡易組み立て棚を組み立てることができる。このため、簡易組み立て棚を簡単な作業で迅速に組み立てることができる。
【００１０】
そして、本発明では、側面部材の内側面に係合部を設け、側面部材の内側面を側部立上片が滑るとき、側部立上片の縁部に係合部を係合させて、側部立上片を正規の向きに折り曲げる。
【００１１】
これに対して、側面部材に係合部を設けずに、側面部材の内側面に対して側部立上片を単に滑らせることのみで、側部立上片を底面に対して起立させることも可能である。しかし、この場合、側面部材や側部立上片に生じる反りや、側面部材や側部立上片の剛性によっては、側部立上片が正規の方向に折れ曲がらず、棚部材を正常な形態に形成できないおそれがある。
【００１２】
この点、本発明では、側面部材に設けた係合部によって、側部立上片が正規の向きに折れ曲がる。結果、棚部材を正常な形態に形成することができ、簡易組み立て棚をより簡単に組み立てることができる。
【００１３】
（２）本発明の簡易組み立て棚では、（１）の構成において、前記係合部は、前記内側面に設けられる切込線であることを特徴とする。
【００１４】
この構成によれば、棚部材の内側面に設けた切込線により、側面部材に係合部を容易に設定することができる。
【００１５】
（３）本発明の簡易組み立て棚では、（２）の構成において、前記切込線は、前記棚部材が前記背面部材の前面に沿って折り畳まれた状態において、前記縁部に沿う形状に形成されることを特徴とする。
【００１６】
この構成によれば、棚部材が背面部材の前面に沿って折り畳まれた状態において、切込線を縁部に沿う形状に形成したので、左右の側面部材を展開形状から使用形状に折り曲げると共に棚部材を前傾させていく過程において、係合部と縁部とを、速やかに且つ確実に係合させることができる。
【００１７】
（４）本発明の簡易組み立て棚では、（１）〜（３）のいずれかの構成において、前記縁部は、前記棚部材の後端側に行くに従って前記底面側に傾斜する形状に形成されることを特徴とする。
【００１８】
この構成によれば、棚部材の後端側に行くに従って、側部立上片の縁部が底面側に傾斜するので、使用形状に折り曲げられる側面部材と、側部立上片の縁部とが強く接触することを防ぐことができ、側面部材に対して縁部を円滑に滑らせることができる。これにより、側部立上片を良好に折り曲げることができる。
【００１９】
（５）本発明の簡易組み立て棚では、（２）〜（４）のいずれかの構成において、前記縁部および前記切込線は、それぞれ、曲線、直線またはこれらの組み合わせにより、形成されることを特徴とする。
【００２０】
この構成によれば、縁部および切込線を曲線、直線またはこれらの組み合わせにより形成することで、求められる機能に応じて様々な形状の縁部および切込線を得ることができる。
【発明の効果】
【００２１】
本発明によれば、運搬または保管する際には、平らな形状に折り畳むことができ、しかも、組み立ての際には、簡単な作業で迅速に組み立て可能な簡易組み立て棚を提供することができる。
【図面の簡単な説明】
【００２２】
【図１】本発明の簡易組み立て棚の斜視図である。
【図２】図１のＡ矢視図であり、簡易組み立て棚の背面図である。
【図３】背面部材と左右の側面部材の展開図である。
【図４】背面部材に左右の側面部材を取り付けた展開図である。
【図５】使用形状に折り曲げた側面部材および背面部材の斜視図である。
【図６】（ａ）および（ｂ）は図４のＢ−Ｂ線断面図であり、（ｃ）および（ｄ）は図４のＣ−Ｃ線断面図であり、（ａ）および（ｃ）は展開形状を示し、（ｂ）および（ｄ）は使用形状を示す。
【図７】棚部材の展開図である。
【図８】（ａ）は棚部材を組み立てる手順を説明する図、（ｂ）は組み立てられた棚部材の斜視図である。
【図９】背面部材に棚部材を組み付ける方法を説明する図である。
【図１０】簡易組み立て棚を平らな形状に折り畳む方法を説明する図である。
【図１１】平らな形状に折り畳まれた簡易組み立て棚の平面図である。
【図１２】簡易組み立て棚を組み立てる方法を説明する図であり、（ａ）は第２切込線の作用説明図、（ｂ）は（ａ）のＥ部における要部拡大図、（ｃ）は側部立上片および係止片の作用説明図である。
【図１３】（ａ）は後縁部および第２切込線の形状を説明する図、（ｂ）〜（ｅ）は、（ａ）の変形例を説明する図である。
【図１４】第２切込線の他の変形例を説明する図である。
【発明を実施するための形態】
【００２３】
以下、添付図面を参照して、本発明を実施するための形態（以下、「実施形態」と称する。）について詳細に説明する。実施形態の説明の全体を通して同じ要素には同じ番号を付している。また、図面は、符号の向きに見るものとする。また、実施形態において、「左」、「右」、「上」、「下」は、各々、簡易組み立て棚に正対したときの向きを示す。また、「前」は、簡易組み立て棚に正対したときの手前側を示し、「後」は、簡易組み立て棚に正対したときの奥側を示す。
【００２４】
（簡易組み立て棚１の全体構成）
まず、簡易組み立て棚１の全体構成を図１、図２に基づいて説明する。
図１は、組み立て後の簡易組み立て棚１の斜視図である。図２は、図１のＡ矢視図であり、簡易組み立て棚１の背面図である。
【００２５】
図１および図２に示すように、簡易組み立て棚１は、縦長の直方体をなす棚構造であり、段ボールを含む各種の紙材料で構成される。簡易組み立て棚１は、背面部材２と、この背面部材２に縦方向の折曲線６ａ，６ｂを介して前方へ折り曲げ可能に連結される左右の側面部材３と、上下方向に所定間隔をあけて水平方向に沿って背面部材２に取り付けられる複数（この例では、２個）の棚部材７とを有する。なお、本発明にいう「折曲線」には、いわゆる罫線や、連続的または断続的に形成される切込線等が含まれる。
【００２６】
（背面部材２、側面部材３の構成）
次に、背面部材２、側面部材３の構成を図３〜図６に基づいて説明する。
図３に示すように、左右の側面部材３は、互いに左右対称形状に形成される。各側面部材３は、縦長の長方形状に形成され、側面部材３の左右方向の中央位置には、幅狭の幅部８が設定されており、この幅部８の左右両端には、２本の折曲線４ａ，４ｂが設けられる。側面部材３は、折曲線４ａ，４ｂを折り曲げることで対向する外側面９と内側面１０とによって構成される。
【００２７】
また、側面部材３の左右両端それぞれには、同程度の幅で離間した２本の折曲線５ａ，５ｂおよび２本の折曲線６ａ，６ｂが設けられる。このうち、外側面９の外端部９ａに設けられる折曲線５ａ，５ｂの間には、上下方向に所定間隔をあけて複数（この例では、少なくとも２個）の切抜孔１１が設けられる。
【００２８】
これら複数の切抜孔１１は、棚部材７（図７参照）の高さに合わせて配置されており、後述する突出係止片２６（図７参照）を出入りさせる機能を有する。
【００２９】
側面部材３の内側面１０には、水平切込線１２と円弧形切込線１３を上下方向に沿って並べて設け、これら水平切込線１２と円弧形切込線１３によって、円弧形切込面１４を形成する。この円弧形切込面１４は、上下方向に沿って、所定間隔をあけて複数（この例では、２個）形成される。また、内側面１０の外端部１０ａの近傍には、水平切込線１２および円弧形切込線１３のそれぞれの基端を通る折曲線（以下、「外側折曲線６ａ」という。）が設けられ、各円弧形切込面１４の基端には、外側折曲線６ａよりも内側に位置する折曲線（以下、「内側折曲線６ｂ」という。）が設けられる。
【００３０】
また、円弧形切込面１４は、可動片３１を有する。この可動片３１は、内側折曲線６ｂにて折り曲げ可能であり、内側折曲線６ｂから前方に延びる第１切込線３２と、この第１切込線３２の前端から後下方に延びて内側折曲線６ｂに達する第２切込線３３とによって、構成される。この第２切込線３３は、本発明にいう「係合部」に相当するものであり、詳しい構成については後述する。
【００３１】
さらに、側面部材３の前上部には、傾斜辺１５が設けられる。この傾斜辺１５は、幅部８の折曲線４ａ，４ｂの上側に設けられる。
【００３２】
以上に述べた側面部材３を組み立てる際には、外側面９と内側面１０とを中央の折曲線４ａ，４ｂで折り曲げ、外側面９の外端部９ａと内側面１０の外端部１０ａとを合わせて、接着手段Ｂ（図中、斜線部で示す）で固定する。また、傾斜折曲片１０ｃを折曲線１０ｅで折り曲げた後、接着手段Ｂで接着して傾斜辺１５を形成する。さらに、内側面１０の上端に設けた上端折曲片１０ｂを折曲線１０ｄで折り曲げて接着手段Ｂで外側面９の上端に接着する。なお、接着手段Ｂは、両面接着材や接着剤等の各種の手段から選択可能であり、種類は任意である。
【００３３】
一方、背面部材２は、縦長の長方形状に形成され、背面部材２には、上下方向に所定間隔をあけて、水平方向に沿って延びる複数（この例では、２個）の切込線１６が設けられる。各切込線１６には、後述する棚部材７の差込片２２（図７参照）が差し込まれる。
【００３４】
また、背面部材２の左右両端それぞれには、上下方向に所定間隔をあけて複数（この例では、３個）の凹部１７ａが設けられる。各凹部１７ａは、側面部材３の外側折曲線６ａに合わさる凹形状に形成され、背面部材２の外側辺１７ｂに対して、側面部材３の幅部８の厚さと同程度の幅で凹む。
【００３５】
さらに、背面部材２の上端には、折返部２ａが設けられる。背面部材２では、この折返部２ａを折曲線２ｂで折り返し、背面部材２の後面上部に重ねて接着手段Ｂで固定することにより、背面部材２の上部を補強し且つ良好な外観を得るようにしている。
【００３６】
以上に述べた背面部材２に側面部材３を取り付ける際は、組み立てた側面部材３の端部（より具体的には、外端部９ａ）を、背面部材２の後面の左右両端それぞれに接着することにより、左右の側面部材３をそれぞれ取り付ける（図４参照）。
【００３７】
図５に示すように、取り付けられた左右の側面部材３は、外側折曲線６ａおよび内側折曲線６ｂによって、背面部材２に対して前方へ垂直に折り曲げ可能である。図６に示すように、背面部材２に沿って開いた展開形状（図６（ａ），（ｃ）参照）から、互いに対向する使用形状（図６（ｂ），（ｄ）参照）に折り曲げられた側面部材３では、外側折曲線６ａと内側折曲線６ｂの形成位置の違いによって、円弧形切込面１４が外側面９の内側に押し込まれた状態となり、水平切込線１２の内側には、隙間１８が形成される。
【００３８】
（棚部材７の構成）
続いて、棚部材７の構成を図７、図８に基づいて説明する。
図７に示すように、棚部材７は、物品３４（図１参照）を載せる長方形状の上側底面１９と、この上側底面１９に折曲線２１を介して連結され、上側底面１９に合わさる長方形状の下側底面２０とを有する。これら上側底面１９と下側底面２０とは、接着手段Ｂで接着される。下側底面２０の折曲線２１近傍には、差込片２２が切込線２２ａで形成される。この差込片２２は、折曲線２２ｂを介して上側底面１９に連結されており、切込線１６（図５参照）に差し込まれて背面部材２（図５参照）に接着手段Ｂで取り付けられる。これにより、棚部材７は、背面部材２（図５参照）の前面に折曲線２２ｂを介して前傾可能に連結される。
【００３９】
上側底面１９の前端には、前側立上片２３が折曲線１９ｂを介して設けられる。さらに、この前側立上片２３の前端には、補強片３５が折曲線３５ａを介して設けられる。前側立上片２３は、補強片３５を折曲線３５ａで折り曲げ、折り曲げた補強片３５を挟むようにして折曲線２３ａで２つ折りにされる。
【００４０】
また、上側底面１９の左右両端には、上方へ折り曲げ可能な側部立上片２４が折曲線１９ａを介して連結される。左右の側部立上片２４のそれぞれは、側面部材３（図５参照）が使用形状に折り曲げられて棚部材７が前傾するとき、側面部材３の動きに合わせて円弧形切込面１４（図５参照）を滑りながら上側底面１９に対して起立する。
【００４１】
この側部立上片２４の後縁部３６は、本発明にいう「縁部」に相当する部分である。この後縁部３６は、棚部材７の後端側（折曲線２２ｂ側）に行くに従って上側底面１９側に傾斜する形状に形成される。この例では、比較的小さな曲率半径の曲線４１と、直線４２とで後縁部３６を形成する。
【００４２】
また、各側部立上片２４の前端には、折曲線１９ａに対して傾斜する折曲線２４ａを介して連結片２４ｂが設けられる。この連結片２４ｂは、折曲線２４ａで折り曲げられ、２つ折りにされる前側立上片２３に挟持される。
【００４３】
さらに、下側底面２０の左右両端には、下方へ折り曲げ可能な係止片２５が折曲線２０ａを介して連結される。この係止片２５の後端には、後方に突出する突出係止片２６が設けられる。
【００４４】
以上に述べた棚部材７を、図８（ａ）に示される平らな形状から、図８（ｂ）に示される使用形状に組み立てる際は、左右両端の側部立上片２４を折曲線１９ａで折り曲げて立ち上げると共に、前側立上片２３を折曲線２３ａで折り曲げて立ち上げる。また、係止片２５を折曲線２０ａで下方へ折り曲げることにより、棚部材７の左右両端において、係止片２５を下方へ突出させる。
【００４５】
（棚部材７の組み付け方法および簡易組み立て棚１の折り畳み方法）
次に、棚部材７の組み付け方法および簡易組み立て棚１の折り畳み方法を図９〜図１１に基づいて説明する。
【００４６】
図９に示すように、側面部材３の水平切込線１２の内側に、棚部材７の係止片２５を差し込みながら、突出係止片２６を切抜孔１１（図２参照）に差し込む。これと同時に、差込片２２を切込線１６に差し込んで折り曲げ、背面部材２の後面に接着して棚部材７を組み付ける。この組み付け作業を他の棚部材７についても行う。これにより、図１０に示すように、複数の棚部材７が組み付けられた簡易組み立て棚１が完成する。
【００４７】
なお、この例では、２段の棚部材７を有する棚構造を示したが、棚部材７の個数は、１個または３個以上でもよく、任意である。また、組み立て後の左右の側面部材３の幅を固定するために、幅固定用部材２７（図１参照）の左右両端の折曲げ固定部２７ａ（図１参照）を、両面接着材等で側面部材３に固定してもよく、この場合、簡易組み立て棚１の組み立て後の形状を崩すことなく、保持することができる。
【００４８】
一方、この簡易組み立て棚１を折り畳む際は、折曲線６ａ，６ｂを基点に左右の側面部材３を後方に開きながら、折曲線２２ｂを基点に各棚部材７を背面部材２に沿うように後上方に折り曲げる。この際、水平切込線１２（図９参照）の内側から棚部材７の係止片２５（図９参照）を抜きつつ、折曲線１９ａ，１９ｂを基点にして、前側立上片２３、側部立上片２４および係止片２５（図９参照）を上側底面１９および下側底面２０に沿うように折り曲げる。
【００４９】
結果、図１１に示すように、左右の側面部材３が展開形状になり、且つ、棚部材７が平らに折り畳まれた簡易組み立て棚１を得ることができる。
【００５０】
本実施形態では、このように平らに折り畳まれた簡易組み立て棚１において、第２切込線３３は、側部立上片２４の後縁部３６に沿う形状に形成される。すなわち、背面部材２の前面に沿って棚部材７が折り畳まれた状態において、第２切込線３３と後縁部３６とが互いに重なるように、第２切込線３３および後縁部３６それぞれの形状および位置を設定する。
【００５１】
（簡易組み立て棚１の組み立て方法）
次に、簡易組み立て棚１の組み立て方法を図１１、図１２に基づいて説明する。
折り畳まれた簡易組み立て棚１を現場等で組み立てるには、まず、図１１に示される簡易組み立て棚１において、左右の側面部材３を前方に折り曲げると共に、手で支えながら各棚部材７を前傾させる。
【００５２】
これにより、図１２（ａ）に示すように、棚部材７の係止片２５が水平切込線１２の内側の隙間１８に差し込まれていくと共に、側部立上片２４の後縁部３６が円弧形切込面１４を滑ることで上側底面１９に対して起立していく。
【００５３】
このとき、図１２（ｂ）に示すように、側部立上片２４の後縁部３６によって可動片３１が押される。これにより、第２切込線３３が後縁部３６に係合する。このように第２切込線３３が後縁部３６に係合することで、側部立上片２４は、正規の向きに折れ曲がって下側底面２０に対して起立する。
【００５４】
図１２（ｃ）に示すように、左右の側面部材３をさらに前方に折り曲げ、各棚部材７をさらに前傾させることにより、係止片２５が隙間１８に深く差し込まれて、左右の側面部材３の対向面間に棚部材７がしっかりと係止される。また、側部立上片２４は、円弧形切込面１４をさらに滑ることで上側底面１９に対して垂直に起立する。同時に、上側底面１９の起立動作に伴って、前側立上片２３も起立する。これにより、棚部材７が組み立てられた簡易組み立て棚１（図１参照）を得ることができ、使用者は、棚部材７に物品３４（図１参照）を載せて陳列することができる。
【００５５】
（実施形態の効果）
以上、説明した簡易組み立て棚１によれば、棚部材７は、側面部材３が展開形状にあるとき、背面部材２の前面に沿って折り畳み可能である。したがって、簡易組み立て棚１の全体を平らな形状に折り畳むことができる。これにより、運搬や保管の際に簡易組み立て棚１がかさばらず、狭いスペースに簡易組み立て棚１を収めることができる。一方、組み立てる際には、左右の側面部材３を展開形状から使用形状に折り曲げると共に、棚部材７を前傾して左右の側面部材３の対向面間に係止させるだけで、簡易組み立て棚１を組み立てることができる。このため、簡易組み立て棚１を簡単な作業で迅速に組み立てることができる。
【００５６】
そして、本実施形態では、側面部材３の円弧形切込面１４を側部立上片２４が滑るとき、側部立上片２４の後縁部３６に第２切込線３３を係合させて、側部立上片２４を正規の向きに折り曲げる。
【００５７】
これに対し、第１切込線３２や第２切込線３３を側面部材３に設けずに、側面部材３の内側面１０に対して側部立上片２４を単に滑らせることのみで、側部立上片２４を起立させることも可能である。しかし、この場合、側面部材３や側部立上片２４に生じる反りや、側面部材３や側部立上片２４の剛性によっては、側部立上片２４が正規の方向に折れ曲がらず、棚部材７を正常な形態に形成できないおそれがある。
【００５８】
この点、本実施形態では、第２切込線３３によって、側部立上片２４が正規の向きに折れ曲がる。結果、棚部材７を正常な形態に形成することができ、簡易組み立て棚１をより簡単に組み立てることができる。
【００５９】
また、棚部材７の内側面１０に第１切込線３２および第２切込線３３を設けるだけの簡単な構成で、側部立上片２４を正規の向きに曲げる係合部を棚部材７に容易に設定することができる。
【００６０】
また、背面部材２の前面に沿って棚部材７が折り畳まれた状態において、第２切込線３３が後縁部３６に沿う形状に形成されるので、左右の側面部材３を使用形状に折り曲げると共に棚部材７を前傾させていく過程において、第２切込線３３と後縁部３６とを、速やかに且つ確実に係合させることができる。
【００６１】
さらに、後縁部３６が、棚部材７の後端側（折曲線２２ｂ側）に行くに従って上側底面１９側に傾斜するので、使用形状に折り曲げられる側面部材３と後縁部３６とが強く接触することを防ぐことができ、円弧形切込面１４に対して後縁部３６を円滑に滑らせることができる。これにより、側部立上片２４を良好に折り曲げることができる。
【００６２】
（後縁部３６および第２切込線３３の変形例）
続いて、後縁部３６および第２切込線３３の変形例を図１３、図１４に基づいて説明する。
【００６３】
前述した後縁部３６および第２切込線３３は、それぞれ、比較的小さな曲率半径Ｒ１の曲線４１と、直線４２とで形成した（図１３（ａ）参照）。しかし、本発明にいう「縁部」および「切込線（係合部の一例）」の形状は、この例に格別に限定されるものではなく、求められる機能に応じて、各種の曲線、直線またはこれらの組み合わせにより任意に形成可能である。
【００６４】
例えば、図１３（ｂ）に示すように、比較的大きな曲率半径Ｒ２の曲線４１のみで後縁部３６および第２切込線３３を形成してもよい。また、図１３（ｃ）に示すように、比較的大きな曲率半径Ｒ２の曲線４１と、直線４２とで、後縁部３６および第２切込線３３を形成してもよい。また、図１３（ｄ）に示すように、直線４３のみで、後縁部３６および第２切込線３３を形成してもよい。また、図１３（ｅ）に示すように、互いに向きの異なる複数の直線４４，４５，４６を組み合わせて、後縁部３６および第２切込線３３を形成してもよい。さらに、図１４に示すように、第２切込線３３は、鉛直方向に延びる長い直線４７と、鉛直方向に対して傾斜する短い直線４８とで形成してもよい。
【００６５】
なお、折曲線１９ａ，６ｂ（図１３（ａ）参照）に対する後縁部３６および第２切込線３３の傾斜角度θ（図１３（ａ）参照）は、任意の大きさに設定可能であるが、４５°程度が好適である。
【００６６】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。またその様な変更または改良を加えた形態も本発明の技術的範囲に含まれ得ることが、特許請求の範囲の記載から明らかである。
【符号の説明】
【００６７】
１  簡易組み立て棚
２  背面部材
３  側面部材
６ａ，６ｂ  折曲線
７  棚部材
１０  内側面
１９  上側底面（底面）
１９ａ  折曲線
２２ｂ  折曲線
２４  側部立上片
３３  第２切込線（係合部）
３４  物品
３６  後縁部（縁部）
４１  曲線
４２〜４８  直線
【図１】
2014140411.tif 000003
【図２】
2014140411.tif 000004
【図３】
2014140411.tif 000005
【図４】
2014140411.tif 000006
【図５】
2014140411.tif 000007
【図６】
2014140411.tif 000008
【図７】
2014140411.tif 000009
【図８】
2014140411.tif 000010
【図９】
2014140411.tif 000011
【図１０】
2014140411.tif 000012
【図１１】
2014140411.tif 000013
【図１２】
2014140411.tif 000014
【図１３】
2014140411.tif 000015
【図１４】
2014140411.tif 000016